【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
自セル内のユーザ端末に対して、無線信号を送信する基地局であって、
前記無線信号の送信に適用するマルチアンテナ伝送モードを前記ユーザ端末に通知する制御部と、
前記マルチアンテナ伝送モードにより、複数の送信アンテナを使用して前記無線信号を送信する送信部と、を備え、
前記制御部は、前記マルチアンテナ伝送モード通知後に前記無線信号の送信に使用する送信アンテナ数を減少させ、
前記制御部は、前記無線信号の送信に使用する送信アンテナ数を減少させても、前記マルチアンテナ伝送モードを維持することを特徴とする基地局。
【請求項２】
前記マルチアンテナ伝送モードは、送信ダイバーシチ、又は、セル固有参照信号に基づくＭＩＭＯ伝送であり、
前記制御部は、前記無線信号の送信に使用する送信アンテナ数を減少させた場合に、前記複数の送信アンテナに対応する複数のデータを生成して、前記複数のデータのうち、前記無線信号の送信に使用する送信アンテナに対応するデータのみを送信することにより、前記マルチアンテナ伝送モードを維持することを特徴とする請求項１に記載の基地局。
【請求項３】
前記マルチアンテナ伝送モードは、復調用参照信号に基づくＭＩＭＯ伝送であり、
前記制御部は、前記無線信号の送信に使用する送信アンテナ数を減少させた場合に、前記無線信号の送信に使用する送信アンテナに対応するデータのみを生成して、生成したデータを送信することにより、前記マルチアンテナ伝送モードを維持することを特徴とする請求項１に記載の基地局。
【請求項４】
前記制御部は、自セルのトラフィック状況又は隣接基地局からの要求に基づいて、前記無線信号の送信に使用する送信アンテナ数を変更することを特徴とする請求項１に記載の基地局。
【請求項５】
前記制御部は、前記無線信号の送信に使用する送信アンテナ数を減少させた場合に、前記送信アンテナ数を減少させる前において前記無線信号の送信に適用していた変調・符号化方式よりも、データレートの低い変調・符号化方式に変更することを特徴とする請求項１に記載の基地局。
【請求項６】
前記制御部は、前記無線信号の送信に使用する送信アンテナ数を減少させた場合に、前記送信アンテナ数を減少させる前において前記無線信号の送信に使用していた無線リソースよりも、少ない量の無線リソースに変更することを特徴とする請求項１に記載の基地局。
【請求項７】
前記制御部は、前記ユーザ端末からフィードバックされた第１のチャネル状態情報に対応する第１の変調・符号化方式を前記無線信号の送信に適用している場合で、かつ、前記無線信号の送信に使用する送信アンテナ数を減少させた場合に、当該送信アンテナ数を減少させてから、前記ユーザ端末からフィードバックされる第２のチャネル状態情報を受信するまでは、前記第１の変調・符号化方式よりもデータレートの低い第２の変調・符号化方式を前記無線信号の送信に適用することを特徴とする請求項１に記載の基地局。
【請求項８】
前記制御部は、前記無線信号の送信に使用する送信アンテナ数を減少させた場合に、当該送信アンテナ数に関するアンテナ情報を前記ユーザ端末に通知し、
前記アンテナ情報は、前記ユーザ端末においてチャネル状態情報の算出を簡略化するために利用されることを特徴とする請求項１に記載の基地局。
【請求項９】
前記制御部は、前記無線信号の送信に使用する送信アンテナ数を減少させた場合に、当該送信アンテナ数に合致しないランク情報をフィードバックする前記ユーザ端末に対して、当該送信アンテナ数に関するアンテナ情報を通知することを特徴とする請求項８に記載の基地局。
【請求項１０】
前記制御部は、前記無線信号の送信に使用する送信アンテナ数に関する情報を隣接基地局に通知することを特徴とする請求項１に記載の基地局。
【請求項１１】
前記制御部は、隣接基地局が無線信号の送信に使用する送信アンテナ数の変更に関する要求情報を前記隣接基地局に通知することを特徴とする請求項１に記載の基地局。
【請求項１２】
自セル内のユーザ端末に対して、無線信号を送信する基地局の通信制御方法であって、
前記無線信号の送信に適用するマルチアンテナ伝送モードを前記ユーザ端末に通知するステップと、
前記マルチアンテナ伝送モード通知後に前記無線信号の送信に使用する送信アンテナ数を減少させるステップと、
前記無線信号の送信に使用する送信アンテナ数を減少させても、前記マルチアンテナ伝送モードを維持するステップと、
前記マルチアンテナ伝送モードによって、前記無線信号を送信するステップと、
を含むことを特徴とする通信制御方法。
【請求項１３】
自セル内のユーザ端末に対して、無線信号を送信する基地局を制御するプロセッサであって、
前記無線信号の送信に適用するマルチアンテナ伝送モードを前記ユーザ端末に通知し、
前記マルチアンテナ伝送モード通知後に前記無線信号の送信に使用する送信アンテナ数を減少させ、
前記無線信号の送信に使用する送信アンテナ数を減少させても、前記マルチアンテナ伝送モードを維持し、
前記マルチアンテナ伝送モードによって、前記無線信号を送信する
ことを特徴とするプロセッサ。
【手続補正２】
【補正対象書類名】明細書
【補正対象項目名】発明の名称
【補正方法】変更
【補正の内容】
【発明の名称】基地局、通信制御方法、及びプロセッサ
【手続補正３】
【補正対象書類名】明細書
【補正対象項目名】０００６
【補正方法】変更
【補正の内容】
【０００６】
第１の特徴に係る基地局は、自セル内のユーザ端末に対して、無線信号を送信する基地局であって、前記無線信号の送信に適用するマルチアンテナ伝送モードを前記ユーザ端末に通知する制御部と、前記マルチアンテナ伝送モードにより、複数の送信アンテナを使用して前記無線信号を送信する送信部と、を備える。前記制御部は、前記マルチアンテナ伝送モード通知後に前記無線信号の送信に使用する送信アンテナ数を減少させる。前記制御部は、前記無線信号の送信に使用する送信アンテナ数を減少させても、前記マルチアンテナ伝送モードを維持する。
【手続補正４】
【補正対象書類名】明細書
【補正対象項目名】０００７
【補正方法】変更
【補正の内容】
【０００７】
第２の特徴に係る通信制御方法は、自セル内のユーザ端末に対して、無線信号を送信する基地局の通信制御方法である。前記通信制御方法は、前記無線信号の送信に適用するマルチアンテナ伝送モードを前記ユーザ端末に通知するステップと、前記マルチアンテナ伝送モード通知後に前記無線信号の送信に使用する送信アンテナ数を減少させるステップと、前記無線信号の送信に使用する送信アンテナ数を減少させても、前記マルチアンテナ伝送モードを維持するステップと、前記マルチアンテナ伝送モードによって、前記無線信号を送信するステップと、を含む。第３の特徴に係るプロセッサは、自セル内のユーザ端末に対して、無線信号を送信する基地局を制御するプロセッサである。前記プロセッサは、前記無線信号の送信に適用するマルチアンテナ伝送モードを前記ユーザ端末に通知し、前記マルチアンテナ伝送モード通知後に前記無線信号の送信に使用する送信アンテナ数を減少させ、前記無線信号の送信に使用する送信アンテナ数を減少させても、前記マルチアンテナ伝送モードを維持し、前記マルチアンテナ伝送モードによって、前記無線信号を送信する。